(57)【要約】【課題】    既設のバス・トイレ一体型の小型ユニットバスでも、実質的におしり洗浄を可能とし、大型の電気製品である局部洗浄装置付き便器と同様の快適さを手軽に得られるようにする。【解決手段】外部から温水が供給できる新設あるいは既設のバス・トイレ一体型の小型ユニットバス１において、シャワー用のノズルと合成樹脂性ホースの間に、切り替え弁を有する二股分水器６を設置し、二股の一方のノズルにシャワー向け合成樹脂性ホースを、もう一方のノズルにおしり洗浄装置７を先端に取り付けた合成樹脂製ホース８を接続する。おしり洗浄装置７は調節ボタン９で簡単に水量・水勢を調節出来るようになっており、先端のノズル１０から水、又は温水が放出され、排便後のおしりを簡単に洗浄できる。洗浄後に残った水滴はトイレット・ペーパーかタオルで拭き取る。【選択図】  図１
0003112090.tif 000002
【実用新案登録請求の範囲】
【請求項１】
ウオッシュレット等、既存のバス、トイレ分離型で局部洗浄装置付の便器には電気部品が多く使われており、且つ通常の便器よりも広いスペースを必要とするため、アパートや小型マンション等、バスと便器が一つの部屋に組み込まれている小型のユニットバスでは設置できないのが実態である。本考案は、このような小型ユニットバスで、安全に、衛生的に、且つ手軽に排便後のおしり洗浄が出来、実質的な快適さを得るための装置に関するものである。特に、水と外部給湯器からの温水が温水混合水栓を通して供給されている、既存の小型ユニットバスにおいて、シャワー向けホース部分に手を加えることで簡単に設置することが可能なおしり洗浄装置である。このおしり洗浄装置の先端には、容易に水量・水勢を調節できるハンディーなおしり洗浄装置と、使用後にノズルが床に接しないようにユニットバス内の壁や、トイレ水洗用の水タンクの側面等にノズル先端を上向きに掛けておくためのハンガー機能も併せ有することを特徴とするおしり洗浄装置である。
【考案の詳細な説明】
【技術分野】
【０００１】  本考案はアパートや小さなマンションに設置されているバス・トイレ一体型の小型ユニットバスで、実質的に快適なおしり洗浄を可能とする装置に関するものである。
【背景技術】
【０００２】  ウオッシュレット等、従来の局部洗浄装置は電気部品を多く使った「電気製品」であり、アパートや小さなマンションのバス・トイレ一体型の小型ユニットバスでは、設置不可能である。その第一の理由は、湿潤な環境における電気部品の安全性の問題であり、第二の理由は、局部洗浄装置付の便器が通常の便器より大きく、手狭な小型ユニットバスには一般的に設置が難しいことである。
【考案の開示】
【考案が解決しようとする問題】
【０００３】  今回の考案は、このような小型ユニットバス、特に既設の小型ユニットバスでも、安全に、衛生的に、且つ手軽に排便後のおしり洗浄が出来、大型の「電気製品」である局部洗浄装置と実質的に同様の「快適性」を得ることが出来るようにするものである。
【問題を解決するための手段】
【０００４】  まず電気部品を使用せずに全て手動とし、既存の設備でも手軽に取り付け出来るようにすることを基本とする。本設備は水と外部給湯設備からの温水が供給される図１に示したようなユニットバス１に設置する。ユニットバス内に別々の配管で供給された水及び温水は、湯水混合水栓２を通り、ユニットバスの設計によって若干の相違はあるが、通常は以下の用途に分けられて送水される。
１．  通常の蛇口用ノズル３（洗面、バスタブへの給水等に使用）
２．  シャワー向け合成樹脂製ホース４用ノズル５
この内、ノズル５からシャワー向け合成樹脂製ホース４を取り外し、このノズル５に切り替え弁を有する二股の分水器６（実施例は図２）を取り付け、分水器６の片側には取り外したシャワー向け合成樹脂製ホース４を取り付け、もう一方に、その先端におしり洗浄設備７を有する合成樹脂製ホース８を接続する。分水器６はワンタッチで簡単に水又は温水の送水先を、シャワー又はおしり洗浄設備に切替えられる。
ホース８を通っておしり洗浄設備７（実施例は図３と図４）に送水された水又は温水は、指で簡単に操作できる調節ボタン９で水量と水勢を調節され、本体の軸に対して斜め約４５度上向きにおしりに当たるようにセットされたノズル１０から放出され、おしりを洗浄する。使用後のおしり洗浄設備７は、ユニットバスの壁か、トイレ水洗用水タンク１１の側面等に取り付けたフック１４に、先端が上向きになるように、人差し指用穴１３、又は中指用穴１２を使って掛けておくことが出来る。又、必要に応じて、おしり洗浄設備７本体からノズル１０を取り外し、用意に洗剤等を使い各々を洗浄できる。おしりの洗浄後は、トイレットペーパー又はタオルでおしりに残った水滴をふき取ればよい。
【考案の効果】
【０００５】  従来のバス・トイレ一体型の小型ユニットバスでは、実質的に不可能であったおしり洗浄が、本考案の設備により手軽に、安全に、衛生的に、且つ経済的に実現できる。特に既設のユニットバスでも、シャワー向けのノズル部を一旦取り外して本考案の二股の切り替え弁を有する分水器を取付け、この一方を既設のシャワー向け合成樹脂製ホースを取り付け、もう一方におしり洗浄装置が先端に取付けられている合成樹脂製ホースを取り付けるだけで手軽に且つ安価に改造でき、大型の電気製品である局部洗浄設備を有する便器と、実質的に同様なおしり洗浄の快適性を得ることが出来る。
【考案を実施するための最良の形態】
【０００６】  水と外部給湯設備からの温水の両方が供給可能な図１のようなバス・トイレ一体型の小型ユニットバスが対象となる。通常これらの給水は、バス給水と洗顔の共用蛇口とシャワーとの切り替えのみであるが、本考案はシャワー用のノズルに図２の詳細実施例に示したような二股の分水器６を追加するものである。この分水器６で、送水先をシャワーかおしり洗浄装置かに切り替えることが出来る。この分水器６にはシャワー向け合成樹脂製ホース４と、同色で同じ太さのおしり洗浄用の合成樹脂製ホース８が繋がっており、このホース８の先端に図３と図４の詳細実施例に示したようなおしり洗浄装置７が取り付けられている。おしり洗浄装置７は、錆ないようにポリプロピレン等の合成樹脂製とすることが望ましい。このおしり洗浄装置７はホース８の先で３６０度回転出来るようになっており、又、Ｓ（ストップ）、弱、中、強の四段階で水量・水勢を指で簡単に調節できるボタン９と、おしり洗浄時にこのノズル部を人差し指と中指で保持するための二個の穴１２、１３が付いている。この穴１２又は１３はおしり洗浄をしていない時にこのノズル部を上向きに掛けておくためのフック用の穴も兼ねている。おしり洗浄装置７の先端は、本体の軸に対して約４５度の角度で水又は温水を放水するノズル１０が取付けられている。このノズル１０はネジでおしり洗浄装置７本体から脱着可能なようになっている。おしり洗浄をしていない時に、このおしり洗浄装置７を上向きに掛けておくためのフック１４が、ユニットバス内の手の届く壁、又は水洗トイレ用の水タンク１１の側面等に取り付けられている。
【図面の簡単な説明】
【０００７】
【図１】  本考案が対象とするバス・トイレ一体型の小型ユニットバスの例で、この中に本考案の送水切り替え器、及びおしり洗浄装置を取付けた場合の全体像を示した図である。
【図２】  本考案で使用する分水器の使用例を示した図である。
【図３】  本考案で使用するおしり洗浄装置を横から見た図である。
【図４】  本考案で使用するおしり洗浄装置を上から見た図である。
【符号の説明】
【０００８】    １      本考案が対象例とするバス・トイレ一体型の小型ユニットバス全体
２      湯水混合水栓
３      通常の蛇口
４      シャワー向け合成樹脂製ホース
５      シャワー向け合成樹脂製ホース用ノズル
６      二股分水器
７      おしり洗浄装置
８      おしり洗浄向け合成樹脂製ホース
９      水量・水勢調節ボタン
１０    ノズル
１１    水洗トイレ用の水タンク
１２    中指用穴
１３    人差し指用穴
１４    おしり洗浄装置用フック
【図１】
0003112090.tif 000003
【図２】
0003112090.tif 000004
【図３】
0003112090.tif 000005
【図４】
0003112090.tif 000006
【手続補正書】
【提出日】平成17年4月11日(2005.4.11)
【手続補正１】
【補正対象書類名】実用新案登録請求の範囲
【補正対象項目名】全文
【補正方法】変更
【補正の内容】
【実用新案登録請求の範囲】
【請求項１】
バス・トイレ一体型の小型ユニットバスであって、
シャワー用ノズルと蛇口用ノズルを有する湯水混合水栓と、
前記シャワー用ノズルに接続されていて、かつ前記シャワー用ノズルからの湯水の送水先を切り替える二股分水器と、
おしり洗浄装置とを有し、
前記二股分水器の一方の送水先が、ホースにより前記おしり洗浄装置に接続されていて、かつ
前記二股分水器の他方の送水先が、ホースによりシャワーに接続されている、
小型ユニットバス。
【請求項２】
前記おしり洗浄装置が、水量・水勢を調節可能とする調節ボタンを供える請求項１に記載の小型ユニットバス。
【手続補正２】
【補正対象書類名】明細書
【補正対象項目名】全文
【補正方法】変更
【補正の内容】
【考案の詳細な説明】
【技術分野】
【０００１】
本考案は、アパートや小さなマンションに設置されているバス・トイレ一体型の小型ユニットバスで、実質的に快適なおしり洗浄を可能とするものである。
【背景技術】
【０００２】
現在一般的に使用されている局部洗浄装置は、電気部品を多く使った大型の「電気製品」であり、アパートや小さなマンションのバス・トイレ一体型小型ユニットバスでは設置不可能である。その第一の理由は、湿潤な環境における電気部品の安全性の問題であり、第二の理由は、局部洗浄装置付の便器が通常の便器より大きく、手狭なバス・トイレ一体型の小型ユニットバスには一般的に設置が難しいことである。
【考案を実施するための最良の形態】
【０００３】
今回の考案は、このような小型ユニットバス、特に既設の小型ユニットバスでも、安全に、衛生的に、且つ手軽に排便後のおしり洗浄が出来、大型の「電気製品」である局部洗浄装置と実質的に同様の「快適性」を得ることが出来るようにするものである。
【０００４】
本考案のバス・トイレ一体型の小型ユニットバスは、シャワー用ノズルと蛇口用ノズルを有する湯水混合水栓を有する。さらに、この小型ユニットバスは、シャワー用ノズルに接続されていて、かつシャワー用ノズルからの湯水の送水先を切り替える二股分水器と、おしり洗浄装置とを有している。二股分水器の一方の送水先は、ホースによりおしり洗浄装置に接続されている。さらに、二股分水器の他方の送水先が、ホースによりシャワーに接続されている。このような構成は、極めてシンプルなので、狭いバス・トイレ一体型の小型ユニットバスにも容易に設置することが可能である。さらに、二股分水器の切り替えにより、湯水の送水先が、シャワーとおしり洗浄装置に切り替わるので、狭いバス・トイレ一体型の小型ユニットバスにおいてもシャワーとおしり洗浄装置の切り替え使用が可能となる。
【０００５】
本考案の小型ユニットバスのおしり洗浄装置は、水量・水勢を調節可能とする調節ボタンを供えているので、このバス・トイレ一体型の小型ユニットバスのユーザーは、おしり洗浄時に水量・水勢を任意に調節することが出来る。
【実施例】
【０００６】
本考案は、まず、電気部品を使用せずに全て手動とし、既存の設備でも手軽に取り付け出来るようにすることを基本とする。本設備は水と外部給湯設備からの温水が供給される図１に示したようなユニットバス１に設置する。ユニットバス内に別々の配管で供給された水及び温水は、湯水混合水栓２を通り、ユニットバスの設計によって若干の相違はあるが、通常は以下の用途に分けられて送水される。
１．     通常の蛇口用ノズル３（洗面、バスタブへの給水等に使用）
２．     シャワー向け合成樹脂製ホース４用ノズル５
この内、ノズル５からシャワー向け合成樹脂製ホース４を取り外し、このノズル５に切り替え弁を有する二股分水器６（図２参照）を取り付け、分水器６の片側には取り外したシャワー向け合成樹脂製ホース４を取り付け、もう一方に、その先端におしり洗浄設備７を有する合成樹脂製ホース８を接続する。二股分水器６はワンタッチで簡単に水又は温水の送水先を、シャワー又はおしり洗浄設備に切替えられる。
【０００７】
水と外部給湯設備からの温水の両方が供給可能な図１のようなバス・トイレ一体型の小型ユニットバスが対象となる。通常これらの給水は、バス給水と洗顔の共用蛇口とシャワーとの切り替えのみであるが、本考案はシャワー用のノズルに図２の詳細実施例に示したような二股分水器６を追加するものである。この分水器６で、送水先をシャワーかおしり洗浄装置かに切り替えることが出来る。この分水器６にはシャワー向け合成樹脂製ホース４と、同色で同じ太さのおしり洗浄用の合成樹脂製ホース８が繋がっており、このホース８の先端に図３と図４の詳細実施例に示したようなおしり洗浄装置７が取り付けられている。
【０００８】
おしり洗浄装置７は、錆ないようにポリプロピレン等の合成樹脂製とすることが望ましい。このおしり洗浄装置７はホース８の先で３６０度回転出来るようになっており、又、S（ストップ）、弱、中、強の四段階で水量・水勢を指で簡単に調節できるボタン９と、おしり洗浄時にこのノズル部を人差し指と中指で保持するための二個の穴１２、１３が付いている。この穴１２又は１３はおしり洗浄をしていない時にこのノズル部を上向きに掛けておくためのフック用の穴も兼ねている。おしり洗浄装置７の先端は、本体の軸に対して約４５度の角度で水又は温水を放水するノズル１０が取付けられている。このノズル１０はネジでおしり洗浄装置７本体から脱着可能なようになっている。おしり洗浄をしていない時に、このおしり洗浄装置７を上向きに掛けておくためのフック１４が、ユニットバス内の手の届く壁、又は水洗トイレ用の水タンク１１の側面等に取り付けられている。
【０００９】
図３および図４に示されるように、ホース８を通っておしり洗浄設備７に送水された水又は温水は、指で簡単に操作できる調節ボタン９で水量と水勢を調節され、本体の軸に対して斜め約４５度上向きにおしりに当たるようにセットされたノズル１０から放出され、おしりを洗浄する。使用後のおしり洗浄設備７は、ユニットバスの壁か、トイレ水洗用水タンク１１の側面等に取り付けたフック１４に、先端が上向きになるように、人差し指用穴１３、又は中指用穴１２を使って掛けておくことが出来る。又、必要に応じて、おしり洗浄設備７本体からノズル１０を取り外し、用意に洗剤等を使い各々を洗浄できる。おしりの洗浄後は、トイレットペーパー又はタオルでおしりに残った水滴をふき取ればよい。
【００１０】
従来のバス・トイレ一体型の小型ユニットバスでは、実質的に不可能であったおしり洗浄が、本考案の設備により手軽に、安全に、衛生的に、且つ経済的に実現できる。特に既設のユニットバスでも、シャワー向けのノズル部を一旦取り外して本考案の二股の切り替え弁を有する分水器を取付け、この一方を既設のシャワー向け合成樹脂製ホースを取り付け、もう一方におしり洗浄装置が先端に取付けられている合成樹脂製ホースを取り付けるだけで手軽に且つ安価に改造でき、大型の電気製品である局部洗浄設備を有する便器と、実質的に同様なおしり洗浄の快適性を得ることが出来る。
【図面の簡単な説明】
【００１１】
【図１】本考案が対象とするバス・トイレ一体型の小型ユニットバスの例で、この中に本考案の送水切り替え器、及びおしり洗浄装置を取付けた場合の全体像を示した図である。
【図２】本考案で使用する分水器の使用例を示した図である。
【図３】本考案で使用するおしり洗浄装置を横から見た図である。
【図４】本考案で使用するおしり洗浄装置を上から見た図である。
【符号の説明】
【００１２】
1                 本考案が対象例とするバス・トイレ一体型の小型ユニットバス全体
2                  湯水混合水栓
3                  通常の蛇口
4                  シャワー向け合成樹脂製ホース
5                  シャワー向け合成樹脂製ホース用ノズル
6                  二股分水器
7                  おしり洗浄装置
8                  おしり洗浄向け合成樹脂製ホース
9                 水量・水勢調節ボタン
10                ノズル
11                水洗トイレ用の水タンク
12                中指用穴
13                人差し指用穴
14                おしり洗浄装置用フック